(57)【要約】【課題】  貯蔵タンク２１内の残湯量を減らしつつ、貯蔵タンク内の湯切れの発生を抑える。【解決手段】  ヒートポンプユニット１０により加熱された水を温水として貯蔵する貯湯タンク２１と、ヒートポンプユニットを制御する制御装置３０と、を備え、貯湯タンク２１から出湯される温水量を検出する流量センサ２８とを備え、貯湯タンク２１内に貯蔵される温水量をタンク内温水温度センサ２２ａ〜２２ｅにより調べると、制御装置３０は、流量センサ２８の検出量に基づき、貯湯タンク２１から出湯される出湯熱量の集中度（最大使用熱量△ΣＱ）を算出し、その集中度に応じて貯湯タンク２１内にて温水の沸き増しを開始するべきか否かを判定する。したがって、温水の沸き増しを開始するべきか否かを適切に判定することができ、その判定に応じて沸き増しを行う。【選択図】        図１
2006349285.tif 000002
【特許請求の範囲】
【請求項１】
ヒートポンプ式加熱器（１０）と、
前記ヒートポンプ式加熱器により加熱された水を温水として貯蔵する貯湯タンク（２１）と、
前記貯湯タンク内にて温水を沸き増しさせる為に前記ヒートポンプ式加熱器を制御する制御手段（３０）と、を備える給湯装置であって、
前記貯湯タンクから出湯される温水量を検出する出湯量検出手段（２８）と、
前記貯湯タンク内に貯蔵される温水量を検出する残湯量検出手段（２２ａ〜２２ｅ）と、を備えており、
前記制御手段は、
前記出湯量検出手段により検出される温水量に基づき、前記貯湯タンクから出湯される温水量の集中度を算出し、
前記算出される集中度と前記残湯量検出手段により算出される温水量とに応じて前記貯湯タンク内にて温水の沸き増しを開始するべきか否かを判定することを特徴とする給湯装置。
【請求項２】
前記貯湯タンクから出湯される温水温度を検出する出湯温度検出手段（２７）と、
前記貯湯タンク内に貯蔵される温水温度を検出する残湯温度検出手段（２２ａ〜２２ｅ）と、を備えており、
前記制御手段は、
前記残湯温度検出手段により検出される温度と前記残湯量検出手段により検出される温水量とに応じて、前記貯湯タンク内に貯蔵される温水の熱量を演算し、
前記出湯温度検出手段により検出される温度と前記出湯量検出手段により検出される温水量に基づき、一回の出湯毎に前記貯湯タンクから出湯される温水の熱量をそれぞれ算出し、それぞれ算出される熱量のうち最大値を前記集中度として設定し、
前記算出される貯湯タンク内の残温水の熱量と前記最大値とに応じて、前記貯湯タンク内の温水量が一定期間後に閾値未満になるか否かを判定することにより、前記貯湯タンク内にて温水の沸き増しを開始するべきか否かを判定することを特徴とする請求項１に記載の給湯装置。
【請求項３】
前記制御手段は、前記集中度を時間帯毎に算出するとともに、前記集中度に応じて前記温水の沸き増しを開始するべきか否かを前記時間帯毎に判定することを特徴とする請求項１または２に記載の給湯装置。
【請求項４】
前記制御手段は、
一回の出湯で前記時間帯の集中度の一定比率以上、前記貯湯タンクから温水が出湯されたか否かを判定し、
前記一回の出湯で前記時間帯の集中度の一定比率以上、前記貯湯タンクから温水が出湯されていないと判定したときには、当該時間帯の終了時までその時間帯の集中度を用いて、前記温水の沸き増しを開始するべきか否かを判定し、
また、前記一回の出湯で当該時間帯の集中度の一定比率以上、前記貯湯タンクから温水が出湯されたと判定したときには、当該時間帯の集中度から次の時間帯の集中度に切り替えて、前記温水の沸き増しを開始するべきか否かを判定することを特徴とする請求項３に記載の給湯装置。
【請求項５】
前記制御手段は、
前記貯湯タンクから出湯中の場合には、出湯開始後から出湯済みの温水の熱量を前記集中度から差し引き、この差し引かれた前記集中度を用いて、前記温水の沸き増しを開始するべきか否かを判定することを特徴とする請求項３または４に記載の給湯装置。
【発明の詳細な説明】
【技術分野】
【０００１】
本発明は、ヒートポンプ式加熱器により加熱された水を温水として貯湯タンクに貯蔵して、その貯湯タンクから温水を出湯するヒートポンプ式給湯装置に関する。
【背景技術】
【０００２】
従来、給湯機においては、特許文献１に示されるように、料金設定が異なる時間帯別に、沸き増し開始残湯量（以降、最低貯湯量と呼ぶ）をそれぞれ設け、この最低貯湯量より貯蔵タンク内の残湯量が少なくなったか否かを時間帯毎に判定し、そして、最低貯湯量よりタンク残湯量が少なくなったと判定した場合にヒートポンプ式加熱器によって貯蔵タンク内の温水の沸き増し運転を開始するヒートポンプ式給湯機が提案されている。
【０００３】
このものにおいては、料金設定が高い時間帯では、出来るだけ沸き増し運転（沸き上げ運転）をしないように最低貯湯量を設定し、料金設定が安い時間帯に沸き増し運転が発生しやすいようにすることで、ランニングコストを低減させることを狙いとしている。
【特許文献１】特開２００２−１４７８５７号公報
【発明の開示】
【発明が解決しようとする課題】
【０００４】
しかしながら、上述の特許文献１に記載されているヒートポンプ式給湯機においては、単に料金時間帯だけを考慮して最低貯湯量を設定すると、料金が高い時間帯に急激に大量の湯を使用された場合には、湯切れ（タンク残湯量内の温水がなくなること）が発生するといった問題が生じる。
【０００５】
また、深夜時間帯（すなわち、料金が安い時間帯）に沸き増した温水を使い切らずに貯蔵タンク内に残した状態が発生する場合もある。この場合には、深夜時間帯の温水の沸き増し時にヒートポンプの効率を低下させる高給水運転時間が多くなり効率を悪化させるという問題がある。
【０００６】
本発明は、上記点に鑑み、貯蔵タンク内の湯切れの発生を抑えつつ、ヒートポンプ式加熱器の効率向上させるようにしたヒートポンプ式給湯装置を提供することを目的とする。
【課題を解決するための手段】
【０００７】
上記目的を達成するため、請求項１に記載の発明では、
ヒートポンプ式加熱器（１０）と、
前記ヒートポンプ式加熱器により加熱された水を温水として貯蔵する貯湯タンク（２１）と、
前記貯湯タンク内にて温水を沸き増しさせる為に前記ヒートポンプ式加熱器を制御する制御手段（３０）と、を備える給湯装置であって、
前記貯湯タンクから出湯される温水量を検出する出湯量検出手段（２８）と、
前記貯湯タンク内に貯蔵される温水量を検出する残湯量検出手段（２２ａ〜２２ｅ）と、を備えており、
前記制御手段は、
前記出湯量検出手段により検出される温水量に基づき、前記貯湯タンクから出湯される温水量の集中度を算出し、
前記算出される集中度と前記残湯量検出手段により算出される温水量とに応じて前記貯湯タンク内にて温水の沸き増しを開始するべきか否かを判定することを特徴とする給湯装置。
【０００８】
以上のように、温水の沸き増しを開始するべきか否かを判定して、その判定に応じて沸き増しを行うことができるので、貯蔵タンク内の残湯量を減らしつつ、貯蔵タンク内の湯切れの発生を抑えることができる。したがって、貯蔵タンク内の湯切れの発生を抑えつつ、ヒートポンプ式加熱器の効率向上させることができる。
【０００９】
但し、「集中度」としては、例えば、請求項２に記載の発明の如く、「最大値」を前記集中度として設定してもよい。又は、時間軸に対する出湯量の最大傾きを集中度として用いるようにしてもよい。
【００１０】
具体的には、請求項２に記載の発明では、前記貯湯タンクから出湯される温水温度を検出する出湯温度検出手段（２７）と、
前記貯湯タンク内に貯蔵される温水温度を検出する残湯温度検出手段（２２ａ〜２２ｅ）と、を備えており、
前記制御手段は、
前記残湯温度検出手段により検出される温度と前記残湯量検出手段により検出される温水量とに応じて、前記貯湯タンク内に貯蔵される温水の熱量を演算し、
前記出湯温度検出手段により検出される温度と前記出湯量検出手段により検出される温水量に基づき、一回の出湯毎に前記貯湯タンクから出湯される温水の熱量をそれぞれ算出し、それぞれ算出される熱量のうち最大値を前記集中度として設定し、
前記算出される貯湯タンク内の残温水の熱量と前記最大値とに応じて、前記貯湯タンク内の温水量が一定期間後に閾値未満になるか否かを判定することにより、前記貯湯タンク内にて温水の沸き増しを開始するべきか否かを判定することを特徴とする請求項１に記載の給湯装置。
【００１１】
ここで、請求項３に記載の発明のように、前記制御手段は、前記集中度を時間帯毎に算出するとともに、前記集中度に応じて前記温水の沸き増しを開始するべきか否かを前記時間帯毎に判定すれば、よりきめ細かに貯蔵タンク内の残湯量を制御することができる。
【００１２】
ここで、請求項４に記載の発明のように、前記制御手段は、
一回の出湯で前記時間帯の集中度の一定比率以上、前記貯湯タンクから温水が出湯されたか否かを判定し、
前記一回の出湯で当該時間帯の集中度の一定比率以上、前記貯湯タンクから温水が出湯されていないと判定したときには、当該時間帯の終了時までその時間帯の集中度を用いて、前記温水の沸き増しを開始するべきか否かを判定し、
また、前記一回の出湯で当該時間帯の集中度の一定比率以上、前記貯湯タンクから温水が出湯されたと判定したときには、当該時間帯の集中度から次の時間帯の集中度に切り替えて、前記温水の沸き増しを開始するべきか否かを判定するようにしてもよい。
【００１３】
また、請求項５に記載の発明のように、前記制御手段は、
前記貯湯タンクから出湯中の場合には、出湯開始後から出湯済みの温水の熱量を前記集中度から差し引き、この差し引かれた前記集中度を用いて、前記温水の沸き増しを開始するべきか否かを判定するようにしてもよい。
【００１４】
なお、上記各手段の括弧内の符号は、後述する実施形態に記載の具体的手段との対応関係を示すものである。
【発明を実施するための最良の形態】
【００１５】
（第１実施形態）
図１は、本実施形態に係る設置型のヒートポンプ式給湯装置の模式図である。このヒートポンプ式給湯装置は、概略、給湯用の水を加熱するヒートポンプ式加熱器をなすヒートポンプユニット１０と、貯湯ユニット２０とからなるものである。
【００１６】
ヒートポンプユニット１０は、低温側の熱を高温側に移動させる蒸気圧縮式冷凍機であって、貯湯ユニット２０の貯湯タンク２１の水を循環ポンプ１１で循環してその水を加熱するものである。
【００１７】
また、貯湯ユニット２０は、ヒートポンプユニット１０にて加熱された水を保温貯蔵する貯湯タンク２１、貯湯タンク２１の外表面に貼り付けられて貯湯タンク２１内の温水温度を検出するタンク内温水温度センサ２２ａ〜２２ｅ、並ぶに、貯湯タンク２１およびヒートポンプユニット１０の間で水（或いは温水）を循環させる循環配管２３を備えている。
【００１８】
さらに、貯湯ユニット２０には、後述する給水配管２６内の水と出湯配管２５内の温水を混合するための混合弁２４、貯湯タンク２１から温水を出湯するための出湯配管２５、貯湯タンク２１に対して所定圧力で給湯用の水を供給するための給水配管２６、出湯配管２５の外表面に貼り付けられて出湯配管２５内の温水温度を検出する出湯温水温度センサ２７、並びに、出湯配管２５内を流れる温水流量を検出する流量センサ２８、給水配管２６の外表面に貼り付けられて給水配管２６内の水温を検出する給水温度センサ２９が設けられている。
【００１９】
なお、出湯配管２５から出湯される温水は、風呂、台所の流し台などで使用される。
【００２０】
また、ヒートポンプ式給湯装置には、マイクロコンピュータなどから構成される周知の制御装置３０が設けられており、制御装置３０は、タンク内温水温度センサ２２ａ〜２２ｅ、出湯温水温度センサ２７、流量センサ２８、給水温度センサ２９等の各種センサの検出値に基づいて、ヒートポンプユニット１０を制御する。
【００２１】
ここで、タンク内温水温度センサ２２ａ〜２２ｅは、貯湯タンク２１上方側から下方側に向けて、タンク内温水温度センサ２２ａ、タンク内温水温度センサ２２ｂ、タンク内温水温度センサ２２ｃ…タンク内温水温度センサ２２ｅの順に配置されている。
【００２２】
なお、タンク内温水温度センサ２２ａ〜２２ｅにより、貯湯タンク２１の上下方向の温度勾配（温度分布）が検出でき、その温度勾配により貯湯タンク２１に貯蔵される温水量が推定可能になる。
【００２３】
次に、本実施形態に係るヒートポンプ式の給湯装置の特徴的作動及びその効果について説明する。図２は、制御装置３０の作動を示すフローチャートであり、以下、制御装置３０の作動について説明する。
【００２４】
先ず、ステップ１において、温水として使用される使用熱量の実績（具体的には、ヒートポンプユニット１０の稼働実績）から、貯湯タンク２１内に温水として一日に蓄積するべき目標蓄熱量Ｑ０を算出する。この目標蓄熱量Ｑ０としては、例えば、過去一週間分の一日毎の使用熱量の平均値が用いられる。
【００２５】
また、この目標蓄熱量ＱＯと貯湯タンク２１のタンク容量Ｌｔａｎｋの関係から、目標蓄熱量ＱＯを貯湯タンク２１の満タンの温水で蓄熱するための蓄熱温度（以下、目標沸き増し温度Ｔｐという）を算出する。
【００２６】
同時にそのときの貯湯タンク２１内の温水温度を検出するタンク内温水温度センサ２２ａ〜２２ｅの検出温度により、貯湯タンク２１内の温水（残り湯）の状態（温水温度、温水量、蓄積熱量）を検知する。なお、以下、貯湯タンク２１内に温水として蓄積される熱量を残湯熱量Ｑ１という。
【００２７】
次に、ステップ２において、深夜時間帯（具体的には、ＰＭ１１：００〜ＡＭ７：００）であるか否かを判定する。そして、深夜時間帯と判定された場合には、ステップＳ３に移行して、沸き増し開始時刻（ピークシフト時間）を算出する。
【００２８】
ここで、沸き増し開始時刻は、貯湯タンク２１が満タンの温水でＡＭ７：００時に沸き増しが完了するように設定された時間である。具体的には、残湯熱量Ｑ１とヒートポンプユニット１０の加熱能力から貯湯タンク２１内の温水を満タン状態で沸き増しするのに必要な時間Ｈを算出し、この時間ＨをＡＭ７：００からシフトして沸き増し開始時刻を算出する。
【００２９】
これは、貯湯タンク２１内に所定温度の温水を満タンに蓄積する際、電力の平準化を図るためのシフトする処理であり、この機能により電力料金の割引を受けることができる。
【００３０】
その後、ステップＳ４では、現在時刻が沸き増し開始時刻になったか否かを判定し、現在時刻が沸き増し開始時刻であると判定した場合にはＳ５においてヒートポンプユニット１０による沸き増しを開始する。すなわち、ヒートポンプユニット１０および貯湯タンク２１の間で水を循環させながら加熱して温水を貯湯タンク２１内に蓄積させることになる。
【００３１】
その後、ステップＳ６では、タンク内温水温度センサ２２ａ〜２２ｅの検出温度により、貯湯タンク２１内に温水が満タンに貯湯されたか否かを判定する。そして、貯湯タンク２１内に温水が満タンに貯湯されたと判定するとステップＳ７にてヒートポンプユニット１０による沸き増しを停止し、ステップＳ１にリターンする。
【００３２】
上記の作動により、深夜時間帯に上記目標蓄熱量が貯湯タンク２１に満タンの温水として貯湯されることになる。
【００３３】
一方、ステップＳ２において現時刻が深夜時間帯以外と判定された場合には、まず、ステップＳ８にて、貯湯タンク２１内の温水を使用しているか否か（すなわち、貯湯タンク２１から出湯配管２５を通して出湯しているか否か）について、流量センサ２８による検出信号により判定する。
【００３４】
ここで、貯湯タンク２１内の温水を使用中であると判定した場合には、ステップＳ９において、上記残湯熱量Ｑ１と過去の１回の出湯当りの最大使用熱量△ΣＱ（以下、集中度ともいう）と、その時の出湯時間△Σｔ（すなわち、最大使用熱量△ΣＱを測定した際の出湯時間）から、現在から△Σｔ後に貯湯タンク２１内の残湯量が所定量以下になるか否かを判定する。
【００３５】
ここで、貯湯タンク２１内の残湯量を所定量以上確保できると判定した場合には、ステップＳ１にリターンされる。一方、貯湯タンク２１内の残湯量が所定量未満になると判定した場合には、ステップＳ１０において、ヒートポンプユニット１０を稼動して貯湯タンク２１内にて温水の沸き増しを開始する。
【００３６】
そして、ヒートポンプユニット１０による沸き増しを開始したら、ステップＳ１１において、引き続き温水（お湯）を使用しているか否かを判定し、使用していないと判定したらステップＳ１３に移行して沸き増しを停止する。一方、引き続き温水を使用していると判定した場合は、ステップＳ１２において過去の１回出湯当りの最大使用熱量△ΣＱ分を沸き増し（Ｑｈｐ）をしたか否かを判定する。
【００３７】
例えば、最大使用熱量△ΣＱに相当する一定時間以上ヒートポンプユニット１０を稼働したときには△ΣＱ分を沸き増したと判定して、ステップＳ１３に移行して沸き増しを停止する。
【００３８】
そして、沸き増し停止後、今回の出湯実績に基づき、△ΣＱ及び△Σｔを更新し、△ΣＱ及びその時の△Σｔを更新・記憶する。この出湯実績としては、出湯温水温度センサ２７、流量センサ２８、給水温度センサ２９のそれぞれの検出値が採用される。
【００３９】
以上の説明した本実施形態によれば、深夜時間帯に貯湯タンク２１に温水として蓄積した熱量以上に温水をユーザが使用した場合には、昼間時間帯において過去の１回出湯当りの最大使用熱量△ΣＱ分のみ沸き増すことになる。したがって、湯切れ（タンク残湯量内の温水がなくなること）の発生を防止することができる。
【００４０】
また、深夜時間帯に沸き増した温水を残した状態にすることを防止できるので、深夜時間帯の沸き増し開始時刻にヒートポンプユニット１０の効率低下を招く高給水運転の比率を下げることができるという効果がある。
【００４１】
（第２実施形態）
上述の第１実施形態では、過去の最大使用熱量△ΣＱ分に基づいて、湯切れが発生しないようにヒートポンプユニット１０による沸き増しを行う例について説明した。
【００４２】
この場合、当日の最大出湯量の出湯が終了しても、常時、過去の最大使用熱量△ΣＱ分に基づき、最大出湯量に対応して、貯湯タンク２１内の残湯量の監視をする（図３（ａ）参照）。このため、不必要な場合でも、ヒートポンプユニット１０による沸き増しをして、貯湯タンク２１内に残湯量が多く残るといった課題があった。
【００４３】
そこで、本第２実施形態では、時間帯毎に最大使用熱量を記憶して、時間帯毎に最大使用熱量を切り替えて、時間帯毎の最大出湯を監視して、貯湯タンク２１内の残湯量を減らす例（図３（ｂ）参照）について説明する。以下、制御装置３０の作動について説明する。図４、図５は、制御装置３０の作動を示すフローチャートである。なお、図４、図５において、図２と同一ステップは同一作動を示す。
【００４４】
先ず、ステップＳ１において目標蓄熱量Ｑ０および目標沸き増し温度Ｔｐを算出するとともに、残湯熱量Ｑ１を検出し、ステップＳ２において、深夜時間帯であると判定すると、ステップＳ３に移行して、沸き増し開始時刻（ピークシフト時間）を算出する。
【００４５】
その後、テップＳ４において、現在時刻が沸き増し開始時刻になったと判定すると、ヒートポンプユニット１０による沸き増しを開始して、貯湯タンク２１内に温水が満タンに貯湯されたと判定するとヒートポンプユニット１０による沸き増しを停止する（ステップＳ５〜ステップＳ７）。
【００４６】
一方、ステップＳ４で現在時刻が沸き増し開始時刻になっていないと判定すると、ステップＳ４ｂに移行して、現在時刻が所定時刻（ＡＭ２：００）以降の時刻であるか否かを判定する。
【００４７】
ここで、現在時刻が所定時刻（具体的には、ＡＭ２：００）以降の時刻であると判定すると、上述のステップＳ３〜ステップＳ７の作動を行う。一方、現在時刻が所定時刻（ＡＭ２：００）以前の時刻であると判定すると、ステップＳ２ａに移行して、後述すると如く、最大使用熱量△ΣＱに基づきヒートポンプユニット１０による沸き増し運転を行う。      
【００４８】
さらに、ステップＳ２において、深夜時間帯以外の時刻であると判定すると、ステップＳ２ａに移行する。
【００４９】
以上のように、現在時刻がＡＭ２：００〜ＡＭ７：００の間の時刻であると、ステップＳ３で算出される沸き増し開始時刻になるまで待ってヒートポンプユニット１０による沸き増しを開始する一方、現在時刻がＡＭ２：００〜ＡＭ７：００以外の時刻であると、最大使用熱量△ΣＱに基づきヒートポンプユニット１０による沸き増し運転を行う。
【００５０】
ここで、上述の第１実施形態では、深夜時間帯（２３：００〜７：００）に入った場合は、沸き増し開始時刻になるまで待ってヒートポンプユニット１０による沸き増しを開始していたが、沸き増しが開始されるまでの間に、温水の使用量が多いと湯切れする課題があったため、例えば、ＡＭ２：００までは最大使用熱量△ΣＱに基づきヒートポンプユニット１０による沸き増し運転を行うようにする。このことにより、湯切れを防止することが可能になる。
【００５１】
ところで、現在時刻が所定時刻（ＡＭ２：００）以前の時刻であると判定したり、ステップＳ２にて深夜時間帯以外の時刻であると判定したりしてステップＳ２ａに移行すると、ヒートポンプユニット１０による沸き増しを実施中であるか否かを判定する。
【００５２】
ここで、ヒートポンプユニット１０による沸き増しを実施中でないときには、ステップ８に移行して、温水を出湯中であるか否かについて、流量センサ２８による検出信号により判定する。そして、温水を出湯中であると判定したときには、ステップＳ９において、貯湯タンク２１内の現在の残湯熱量Ｑ１が閾値α未満か否かを判定する。
【００５３】
ここで、貯湯タンク２１内の現在の残湯熱量Ｑ１が閾値α未満であるときには、温水の沸き増しを開始するべきと判定する一方、貯湯タンク２１内の現在の残湯熱量Ｑ１が閾値α以上であるときには、温水の沸き増しを開始するべきではないと判定することになる。
【００５４】
ここで、閾値αとは、最大使用熱量ΔΣＱとその時の出湯時間ΔΣｔから現在からΔΣｔ後に残湯熱量Ｑ１が所定量以下になるか否かを判定するもので、基本的には、上述の第１実施形態と同様しているが、以下、閾値αの演算について説明する。
【００５５】
α＝（ΔΣｔ−ΔΣｔｄｅｃ）／ΔΣｔ×ΔΣＱ＋担保量
ΔΣｔｄｅｃ：出湯開始からの経過時間
担保量：最終的に残したい残湯熱量
ΔΣＱ：時間帯毎の最大出湯熱量（学習値）
ΔΣｔ：ΔΣＱの出湯時間（学習値）
ここでは、（ΔΣｔ−ΔΣｔｄｅｃ）／ΔΣｔをΔΣＱに掛算した値を用いることにより、出湯開始後から出湯済みの温水の熱量を最大使用熱量ΔΣＱ（集中度）から差し引き、この差し引いた最大使用熱量ΔΣＱを用いて沸き増しを開始するべきか否かを判定することになる。
【００５６】
また、最大使用熱量ΔΣＱを時間帯毎に設定してあり、時間帯毎に応じて最大使用熱量ΔΣＱを切り替えていくようになっている。
【００５７】
具体的には、図６に示すように、過去Ｘ日（具体的には、１週間）の各時間帯毎の最大出湯熱量とその出湯時間を記憶しその中での最大出湯熱量を時間帯毎に検索してその検索される時間帯毎の最大出湯熱量を当日のΔΣＱとする。
【００５８】
このように当日の最大出湯熱量ΔΣＱを設定すると、深夜に近づくほど、最大出湯熱量ΔΣＱ一般的には低下していく。
【００５９】
また、当日の１回あたりの出湯熱量がΔΣＱの所定比率以上（例えば８０％）を越えた場合は、その比較対象であるΔΣＱの出湯は終了したと判断して、ΔΣＱが選択されていた時間帯以降の、次の時間帯の最大出湯熱量ΔΣＱに切り替える。
【００６０】
すなわち、一回の出湯である時間帯で最大出湯熱量ΔΣＱの一定比率（例えば８０％）以上、貯湯タンクから温水が出湯されていないと判定したときには、当該時間帯の終了時までその時間帯の最大出湯熱量ΔΣＱを用いて、温水の沸き増しを開始するべきか否かを判定する。
【００６１】
一方、一回の出湯である時間帯の最大出湯熱量ΔΣＱの一定比率（例えば８０％）以上、貯湯タンクから温水が出湯されていると判定したときには、当該時間帯の最大出湯熱量ΔΣＱから、次の時間帯の最大出湯熱量ΔΣＱに切り替えて、温水の沸き増しを開始するべきか否かを判定することになる。
【００６２】
図６に示す具体例では、２０：００前に最大出湯熱量ΔΣＱの一定比率（例えば８０％）以上の出湯が実施されたため、２０：００前であっても、２１：００以降の時間帯の最大出湯熱量ΔΣＱに切り替えている。
【００６３】
以上のように時間帯毎の最大出湯熱量ΔΣＱを用いて温水の沸き増しを開始するべきか否かを判定してその判定結果に基づいてその沸き増しを開始すると、ステップＳ１１に移行して、出湯が停止したか否かを判定する。そして、出湯が停止したと判定した場合には、ステップＳ１１に移行して、沸き増しした時間が所定時間（例えば３０分）未満の場合には所定時間まで沸き増しを継続する。これは、熱源をヒートポンプユニット１０とした場合には、その能力の立ち上がりを考慮することと、断続的な運転を抑制する意味がある。
【００６４】
その後、現在の残湯量Ｑ１が閾値β以上になった場合には（ステップＳ１２）ヒートポンプユニット１０による沸き増しを停止する（ステップＳ１３）。閾値βとはΔΣＱ＋担保量−Ｑｈｐ（沸き増しで得られる熱量）である。このことにより、貯湯タンク２１内に担保量を常に確保してヒートポンプユニット１０の沸き増しを停止させることができる。
【００６５】
その後、ステップＳ１４に移行して、時間帯毎の最大出湯熱量ΔΣＱの学習処理を行う。
【００６６】
例えば、過去一週間について時間帯毎の最大出湯熱量ΔΣＱを記憶し、一日のうちＡＭ７：００〜ＡＭ２：００までの１９時間では１時間毎に分割しその時間帯毎の最大出湯熱量と出湯時間を記憶する。
【００６７】
ここで、特定時間（例えば１５分）内で断続出湯が行われた場合には、その断続出湯を１回の出湯として時間帯毎の最大出湯熱量を設定する。このことにより、短時間出湯の群を１回あたりの出湯としてとらえることが可能となり、最大出湯熱量ΔΣＱに際して断続的な出湯にも対応可能となる。
（その他の実施形態）
上述の各実施形態では、過去１週間について時間帯毎の最大出湯熱量をΔΣＱとして記憶する例について説明したが、過去１週間の出湯熱量について平均値、標準偏差を算出して平均値＋標準偏差をΔΣＱとして活用してもよい。
【００６８】
あるいは、過去１週間の時間帯毎の最大出湯熱量をΔΣＱとして記憶するではなく、１週間前の最大出湯量を当日のΔΣＱとして活用してもよい。
【００６９】
上述の各実施形態では、最大出湯熱量ΔΣＱを集中度として算出した例について説明したが、これに限らず、時間軸に対する出湯量の最大傾きを集中度として算出するようにしてもよい。
【００７０】
また、時間毎の最大出湯熱量ΔΣＱからヒートポンプユニット１０の沸き増し能力を差し引いた値を集中度として採用してもよい。
【００７１】
以下、上記実施形態と特許請求項の範囲の構成との対応関係について説明すると、ヒートポンプユニット１０がヒートポンプ式加熱器に相当し、制御装置３０が制御手段に相当し、流量センサ２８が出湯量検出手段に相当し、タンク内温水温度センサ２２ａ〜２２ｅが残湯量検出手段に相当し、出湯温水温度センサ２７が出湯温度検出手段に相当する。
【図面の簡単な説明】
【００７２】
【図１】本発明の第１実施形態に係る給湯装置の模式図である。
【図２】本発明の第１実施形態に係る給湯装置の制御フローを示すフローチャートである。
【図３】本発明の第２実施形態に係る給湯装置の作動を説明するためのタイミングチャートである。
【図４】本発明の第２実施形態に係る給湯装置の作動を示すフローチャートである。
【図５】本発明の第２実施形態に係る給湯装置の作動を示すフローチャートである。
【図６】本発明の第２実施形態に係る給湯装置の作動を説明するためのタイミングチャートである。
【符号の説明】
【００７３】
１０…ヒートポンプユニット、３０…制御装置、
２０…貯湯ユニット、２１…貯湯タンク、
２２ａ〜２２ｅ…タンク内温水温度センサ、２３…循環配管、
２６…給水配管、２５…出湯配管、２４…混合弁、２６…給水配管、
２７…出湯温水温度センサ、２８…流量センサ、２９…給水温度センサ。
【図１】
2006349285.tif 000003
【図２】
2006349285.tif 000004
【図３】
2006349285.tif 000005
【図４】
2006349285.tif 000006
【図５】
2006349285.tif 000007
【図６】
2006349285.tif 000008